【手続補正書】
【提出日】令和3年12月3日(2021.12.3)
【手続補正１】
【補正対象書類名】特許請求の範囲
【補正対象項目名】全文
【補正方法】変更
【補正の内容】
【特許請求の範囲】
【請求項１】
膝治療システムであって、
少なくとも一部が導電性である柔軟なガーメント又はラップと、
前記柔軟なガーメント又はラップに結合又は一体化された少なくとも１つの可動域センサと、
前記柔軟なガーメント又はラップに結合又は一体化された複数の電極と、
を備え、前記複数の電極は、少なくとも１つの能動電極及び少なくとも１つの受信電極を含み、前記電極は、患者の皮膚に結合されて少なくとも１つのコントローラの制御電子回路と共に電気回路を形成するように構成及び配置され、
前記電気回路は、前記少なくとも１つの能動電極及び少なくとも１つの受信電極を使用して電気パラメータを測定して閉ループ電気筋刺激システムを形成するように構成及び配置され、前記少なくとも１つの能動電極と少なくとも１つの受信電極との間の前記皮膚上に付与される刺激電流又は電圧は、前記少なくとも１つの能動電極及び少なくとも１つの受信電極を通じて測定された少なくとも１つの電気パラメータとに基づき、
前記少なくとも１つのコントローラは、（ａ）組織にセンス電気パルスを付与し、（ｂ）前記組織からの前記少なくとも１つの電気パラメータを測定し、（ｃ）前記能動電極のうちの少なくとも１つを使用して、前記測定された電気パラメータに少なくとも部分的に基づいて前記組織に刺激パルスを調整可能に付与する、ように構成及び配置され、
前記少なくとも１つのコントローラは、前記少なくとも１つの電気パラメータに少なくとも部分的に基づいて、前記組織への一定出力を維持するように前記刺激パルスを調整可能に制御し、（ｄ）（ａ）〜（ｃ）を繰り返す、
ことを特徴とする膝治療システム。
【請求項２】
前記柔軟なガーメント又はラップは、膝窩切り抜き部を含む、
請求項１に記載の膝治療システム。
【請求項３】
前記柔軟なガーメント又はラップに一体化又は結合されたブレースアセンブリをさらに備える、
請求項１又は２に記載の膝治療システム。
【請求項４】
前記ブレースアセンブリは、前記柔軟なガーメント又はラップに結合された少なくとも１つのブレース要素又はステーを含む、
請求項３に記載の膝治療システム。
【請求項５】
前記ブレースアセンブリは、ダイアル式ヒンジを含む、
請求項３又は４に記載の膝治療システム。
【請求項６】
前記ダイアル式ヒンジは、ユーザがカスタマイズされた取り付け及び治療を達成することを可能にするように構成された可動域（ＲＯＭ）ストップを含む、
請求項５に記載の膝治療システム。
【請求項７】
前記コントローラは、前記患者による前記膝治療システムの使用に関連する使用データを記憶するように構成された少なくとも１つのコンピュータ可読媒体に結合されるように構成される、
請求項１〜６のいずれか１項に記載の膝治療システム。
【請求項８】
前記少なくとも１つのコントローラは、前記柔軟なガーメント又はラップの外面に結合される、
請求項１〜７のいずれか１項に記載の膝治療システム。
【請求項９】
前記柔軟なガーメント又はラップは、圧縮可能な滑らない材料を含む、
請求項１〜８のいずれか１項に記載の膝治療システム。
【請求項１０】
前記柔軟なガーメント又はラップは、少なくとも１つの面ファスナによって着用者に固定されるように構成される、
請求項１〜９のいずれか１項に記載の膝治療システム。
【請求項１１】
前記コントローラに結合された少なくとも１つの無線送信機をさらに含む、
請求項１〜１０のいずれか１項に記載の膝治療システム。
【請求項１２】
前記少なくとも１つの無線送信機を使用して、前記患者による前記膝治療システムの使用に関連する使用データを転送するように構成された計算プログラム、アプレット又はアプリケーションをさらに含む、
請求項１１に記載の膝治療システム。
【請求項１３】
前記少なくとも１つのコントローラは、前記計算プログラム、アプレット又はアプリケーションの少なくとも一部を使用してモバイルコンピュータ装置に電磁的に結合するように構成及び配置される、
請求項１２に記載の膝治療システム。
【請求項１４】
前記計算プログラム、アプレット又はアプリケーションの少なくとも一部は、少なくともいくつかの使用データを表示して前記少なくとも１つのコントローラを通じたパラメータの制御を可能にするように構成されたユーザインターフェイスをユーザのコンピュータ装置上に表示するように構成及び配置される、
請求項１２又は１３に記載の膝治療システム。
【請求項１５】
前記使用データは、特定の日常動作及び／又は１又は２以上の理学療法又は運動ルーチンに対するユーザのコンプライアンスを含む、
請求項１２〜１４のいずれか１項に記載の膝治療システム。
【請求項１６】
前記使用データは、方位データ及び加速度データを含む運動学的データを含む、
請求項１２〜１５のいずれか１項に記載の膝治療システム。
【請求項１７】
前記少なくとも１つの可動域センサは、加速度計、動きセンサ、近接センサ、光学センサ、ジャイロメータ、磁気探知器、水和センサ、力又は圧力センサ、位置センサ、全地球測位センサ（ＧＰＳ）、光学センサ、磁気センサ、誘導センサ、容量センサ、渦電流センサ、抵抗センサ、磁気抵抗センサ、赤外線センサ、傾斜計センサ、圧電材料又は圧電ベースセンサ、血中酸素センサ、心拍数センサ、レーザ又は超音波ベースのセンサ、及び筋電図検査型センサのうちの少なくとも１つを含む、
請求項１〜１６のいずれか１項に記載の膝治療システム。
【請求項１８】
前記少なくとも１つの可動域センサは、ユーザの身体関節を追跡するように構成された光学センサ又はカメラを含む、
請求項１〜１７のいずれか１項に記載の膝治療システム。
【請求項１９】
アセンブリであって、
少なくとも一部が導電性である柔軟なガーメント又はラップと、
前記柔軟なガーメント又はラップに結合又は一体化された少なくとも１つの可動域センサと、
少なくとも１つのコントローラに結合された少なくとも１つの無線送信機と、
前記柔軟なガーメント又はラップに結合又は一体化され、患者の皮膚に結合されて前記少なくとも１つのコントローラの制御電子回路と共に電気回路を形成するように構成及び配置された少なくとも１つの能動電極及び少なくとも１つの受信電極を含む複数の電極と、
を備え、
前記電気回路は、前記少なくとも１つの能動電極及び少なくとも１つの受信電極を使用して電気パラメータを測定して閉ループ電気筋刺激システムを形成するように構成及び配置され、前記少なくとも１つの能動電極と少なくとも１つの受信電極との間の前記皮膚上に付与される刺激電流又は電圧は、前記少なくとも１つの能動電極及び少なくとも１つの受信電極を通じて測定された少なくとも１つの電気パラメータとに基づき、
前記少なくとも１つのコントローラは、（ａ）組織にセンス電気パルスを付与し、（ｂ）前記組織からの前記少なくとも１つの電気パラメータを測定し、（ｃ）前記能動電極のうちの少なくとも１つを使用して、前記測定された電気パラメータに少なくとも部分的に基づいて前記組織に刺激パルスを調整可能に付与する、ように構成及び配置され、
前記少なくとも１つのコントローラは、前記少なくとも１つの電気パラメータに少なくとも部分的に基づいて、前記組織への一定出力を維持するように前記刺激パルスを調整可能に制御し、（ｄ）（ａ）〜（ｃ）を繰り返す、
ことを特徴とするアセンブリ。
【請求項２０】
前記柔軟なガーメント又はラップに結合された少なくとも１つのブレース要素又はステーを含むブレースアセンブリをさらに備える、
請求項１９に記載のアセンブリ。
【請求項２１】
前記コントローラは、前記患者による前記アセンブリの使用に関連する使用データを少なくとも１つのコンピュータ可読媒体に送信するように構成される、
請求項１９又は２０に記載のアセンブリ。
【請求項２２】
前記少なくとも１つの可動域センサは、ユーザの身体関節を追跡するように構成された光学センサ又はカメラを含む、
請求項１９〜２１のいずれか１項に記載のアセンブリ。